(57)【特許請求の範囲】
【請求項１】
水酸基含有アクリル樹脂（Ａ）及び水酸基含有ポリエステル樹脂（Ｂ）を含有する主剤と、ポリイソシアネート化合物（Ｃ）を含有する硬化剤とを含む塗料組成物であって、
水酸基含有アクリル樹脂（Ａ）が、水酸基価１００〜２００ｍｇＫＯＨ／ｇ、ガラス転移温度−２０℃未満であり、
重合性不飽和モノマー（ａ１）〜（ａ３）の合計量を基準として、
メチルメタクリレート（ａ１）１５〜３５質量％、
炭素数４〜９のヒドロキシアルキル基を有する重合性不飽和モノマー（ａ２）５〜３０質量％、及び
その他の重合性不飽和モノマー（ａ３）３５〜８０質量％
を反応させて得られる水酸基含有アクリル樹脂であり、
水酸基含有ポリエステル樹脂（Ｂ）が、水酸基価５０〜２００ｍｇＫＯＨ／ｇ、数平均分子量２，０００〜２０，０００であって、ヌレート構造を有する環状ポリオール化合物（ｂ１）を含む多価アルコールと多塩基酸との反応によって得られる水酸基含有ポリエステル樹脂であり、
ポリイソシアネート化合物（Ｃ）がビウレット基含有ポリイソシアネート化合物及びアロファネート基含有ポリイソシアネート化合物からなる群から選択される少なくとも１つであり、
得られる塗膜のガラス転移温度が２０〜６０℃である
塗料組成物。
【請求項２】
主剤中の樹脂固形分質量を基準として、水酸基含有アクリル樹脂（Ａ）を１０〜８０質量部、水酸基含有ポリエステル樹脂（Ｂ）を２０〜９０質量部含有する請求項１に記載の塗料組成物。
【請求項３】
得られる塗膜の架橋間分子量が３００〜１０００である請求項１又は請求項２に記載の塗料組成物。
【請求項４】
プラスチック基材に、請求項１〜請求項３のいずれか１項に記載の塗料組成物を塗装する方法。
【請求項５】
プラスチック基材に、請求項１〜請求項３のいずれか１項に記載の塗料組成物を塗装して得られる塗装物品。
【発明の詳細な説明】
【技術分野】
【０００１】
本発明は、プラスチック基材に対して優れた耐擦り傷性、硬度、外観、付着性及び耐薬品性を有する塗膜を形成することができる塗料組成物及び塗装物品に関する。
【背景技術】
【０００２】
近年、通信機器、家電製品、自動車用部品などの各種工業製品にＡＢＳ樹脂、ポリプロピレン、ウレタン樹脂、ポリカーボネート樹脂等のプラスチック基材が用いられている。かかる工業製品には耐擦り傷性、硬度、外観、付着性、耐薬品性などが求められる。【０００３】
種々の工業製品には、第一層目は基材への付着性に優れる塗料、第二層目は基材の耐擦り傷性に優れる塗料といったように、機能の異なる複数種の塗料を塗り重ねて複層塗膜を形成させる工業製品もあるが、なかには、一種類の塗料による１コート１ベーク（１回塗装１回焼付け）の塗装工程において付着性と各種塗膜性能とを成立させることが求められる工業製品もあり、課題としては１コート１ベークが求められる方が難しい。また、耐薬品性としては、近年特に、液状ファンデーション、化粧下地、コンシーラー、日焼け止め剤、美容液、乳液、ハンドクリームなどの化粧料のような、紫外線吸収剤、防腐剤及び乳化剤を含有する皮膚外用組成物が塗膜面に付着したまま放置されても塗膜の付着不良、外観低下及び硬度低下等が発生しないこと（以下、「紫外線吸収剤等を含有する組成物に対する耐性」と略記することがある）が求められている。【０００４】
例えば特許文献１には耐傷性と耐酸性に優れた塗料として、水酸基含有アクリル樹脂と多官能イソシアネート化合物とを含有するクリヤー塗料組成物であって、前記水酸基含有アクリル樹脂が、少なくとも一部のモノマーとして炭素数４〜９のヒドロキシアルキル基を有するヒドロキシアルキル（メタ）アクリレートを用いて得た水酸基含有アクリル樹脂であり、前記多官能イソシアネート化合物のうちの少なくとも一部がイソシアヌレート型イソシアネート化合物であり、特定のソフトセグメント部を、前記水酸基含有アクリル樹脂及び多官能イソシアネート化合物の固形分全量に対して２５〜５０質量％有し、前記水酸基含有アクリル樹脂及び多官能イソシアネート化合物の固形分全量に対するラクトン含有モノマー由来のソフトセグメント部の割合を４．５質量％以下とし、かつ、得られる硬化塗膜の動的ガラス転移温度が３０〜６０℃の範囲となるように調製されていることを特徴とする自動車用クリヤー塗料組成物が開示されている。【０００５】
しかしながら当該塗料は主に金属基材に適したものとなっており、プラスチック基材に対する１コート１ベーク塗装工程での付着性及び紫外線吸収剤等を含有する組成物に対する耐性は十分ではない。【０００６】
特許文献２には耐洗車傷性、耐酸性、耐候性に優れた塗料として、水酸基価が８０〜２２０ｍｇＫＯＨ／ｇであり、ガラス転移温度が−５０℃以上、かつ０℃未満であって、４−ヒドロキシブチル（メタ）アクリレートに由来する単位を２５〜５５質量％含有する水酸基含有樹脂（Ａ）、水酸基価が８０〜２２０ｍｇＫＯＨ／ｇであって、ガラス転移温度が０〜５０℃である水酸基含有樹脂（Ｂ）、及びポリイソシアネート化合物から成る架橋剤（Ｃ）とを必須成分とする塗料組成物であって、水酸基含有樹脂（Ａ）と水酸基含有樹脂（Ｂ）との含有割合が、樹脂固形分質量比で、９５／５〜５０／５０であり、かつ、水酸基含有樹脂（Ａ）および水酸基含有樹脂（Ｂ）の合計の水酸基に対する架橋剤（Ｃ）の官能基であるイソシアネート基の含有割合が、ＮＣＯ／ＯＨのモル比で０．５〜１．５であることを特徴とする塗料組成物が開示されている。【０００７】
しかしながら当該塗料は主に金属基材に適したものとなっており、プラスチック基材に対する１コート１ベーク塗装工程での付着性、紫外線吸収剤等を含有する組成物に対する耐性は十分ではない。【０００８】
特許文献３には、ラクトン変性アクリル樹脂とポリカーボネートジオールを含有することを特徴とする自己復元塗料組成物が開示されている。当該コーティング樹脂組成物は１コート１ベーク塗装工程でのＡＢＳ板への耐擦傷性に優れているが、紫外線吸収剤等を含有する組成物に対する耐性は十分ではない。【０００９】
特許文献４にはイソシアネート基当量が１００〜２８０ｇ／ｅｑの範囲であるポリイソシアネート化合物（Ａ）と、平均ガラス転移温度（Ｔｇ）が−５５℃以上−９℃未満であり、１分子あたりの水酸基の平均官能基数が４〜２０であり、かつ、数平均分子量（Ｍｎ）が３０００〜１５０００の範囲であるアクリル系ポリオール（Ｂ）とを、両者の比率［ポリイソシアネート化合物中のイソシアネート基のモル数］／［アクリル系ポリオール（Ｂ）中の水酸基のモル数］が０．７５〜１．５の範囲となるような割合で含有することを特徴とするコーティング樹脂組成物が開示されている。当該コーティング樹脂組成物は１コート１ベーク塗装工程でのＡＢＳ板への耐傷性、及び基材密着性に優れているが、紫外線吸収剤等を含有する組成物に対する耐性は十分ではない。【００１０】
特許文献５にはイソシアネート基当量が１００〜２８０ｇ／ｅｑの範囲であるポリイソシアネート化合物（Ａ）と、平均Ｔｇが−５０〜−１０℃であり、１分子あたりの水酸基の平均官能基数が４〜２０であり、かつ、数平均分子量（Ｍｎ）が１０００〜３０００の範囲であるポリエステルポリオール（Ｂ）とを、両者の比率［ポリイソシアネート化合物中のイソシアネート基のモル数］／［ポリエステルポリオール（Ｂ）中の水酸基のモル数］が０．７５〜１．５の範囲となるような割合で含有することを特徴とするコーティング樹脂組成物が開示されている。当該コーティング樹脂組成物は１コート１ベーク塗装工程でのＡＢＳ板への耐傷性及び基材密着性に優れているが、紫外線吸収剤等を含有する組成物に対する耐性は十分ではない。【００１１】
特許文献６には生じた傷が短時間に消失する自己修復性の塗膜を各種基材の表面に形成できる塗料組成物として、水酸基価が４０〜８０ｍｇＫＯＨ／ｇであり、かつガラス転移温度が−４０〜−１０℃であるポリエステルポリオール（Ａ）、および水酸基価が３５〜６５ｍｇＫＯＨ／ｇであり、かつガラス転移温度が５０〜７０℃であるポリエステルポリオール（Ｂ）、ならびに脂肪族ジイソシアネートの三量体（Ｃ）を含有し、かつ、（Ａ）成分と（Ｂ）成分の使用重量比〔（Ａ）／（Ｂ）〕が４５／５５〜８５／１５であり、かつ、（Ａ）成分と（Ｂ）成分の水酸基の合計モル数（ＯＨ）と（Ｃ）成分のイソシアネート基のモル数（ＮＣＯ）との比〔ＮＣＯ／ＯＨ〕が０．８〜２である塗料組成物が開示されている。しかし当該塗料組成物は１コート１ベーク塗装工程での自己修復性及び密着性に優れているが、紫外線吸収剤等を含有する組成物に対する耐性は十分ではない。【００１２】
特許文献７には耐薬品性、例えば、日焼け防止に用いるローション、ハンドクリームが付着したまま高温下で長時間曝されてもアクリル樹脂フィルム表面が荒れることなく、また、深絞り形状の成形品に成形した場合フィルム表面に割れが発生することがなく、且つ、表面硬度を備えた熱成形用フィルムとして、カルボキシル基と水酸基を有し、固形分酸価が１５〜１５０ｍｇＫＯＨ／ｇでありガラス転移温度が７０〜１４０℃であるビニル系重合体（Ａ）と、ポリイソシアネート化合物（Ｂ）を含有し、ポリイソシアネート化合物（Ｂ）の含有量がビニル系重合体（Ａ）の固形分水酸基価２〜８０ｍｇＫＯＨ／ｇと反応する含有量であることを特徴とする熱成形用フィルム向け硬化性樹脂組成物が開示されている。しかし当該熱成型用フィルム向け硬化性樹脂組成物は１コート１ベーク塗装工程でのＡＢＳ板への付着性及び耐擦り傷性が十分ではない。
【先行技術文献】
【特許文献】
【００１３】
【特許文献１】日本国特開２００６−１７６６３４号公報
【特許文献２】日本国特開２００９−４６６４２号公報
【特許文献３】日本国特開２０１２−９７１２７号公報
【特許文献４】日本国特開２０１２−９７１７３号公報
【特許文献５】日本国特開２０１２−８７１８３号公報
【特許文献６】日本国特開２０１２−１４０６１４号公報
【特許文献７】日本国特開２０１２−９７２４８号公報
【発明の概要】
【発明が解決しようとする課題】
【００１４】
本発明はこれらの点を考慮してなされたものであり、１コート１ベーク塗装工程において、プラスチック基材に対して優れた耐擦り傷性、硬度、外観、付着性及び紫外線吸収剤等を含有する組成物に対する耐性を有する塗膜を形成することができる塗料組成物及び塗装物品を提供することを目的とする。
【課題を解決するための手段】
【００１５】
本発明者は、上記の目的を達成すべく鋭意検討を重ねた結果、特定の水酸基含有アクリル樹脂及び水酸基含有ポリエステル樹脂を含有する主剤、及び特定のポリイソシアネート化合物を含有する硬化剤とを含み、得られる塗膜のガラス転移温度が２０〜６０℃である塗料組成物を用いることにより、上記課題を解決することができることを見出し、本発明を完成するに至った。【００１６】
すなわち、本発明は、以下の塗料組成物、ならびに、該塗料組成物を塗装して得られる物品を提供するものである。
本発明は、以下の（１）〜（５）に関する。
（１）水酸基含有アクリル樹脂（Ａ）及び水酸基含有ポリエステル樹脂（Ｂ）を含有する主剤と、ポリイソシアネート化合物（Ｃ）を含有する硬化剤とを含む塗料組成物であって、
水酸基含有アクリル樹脂（Ａ）が、水酸基価１００〜２００ｍｇＫＯＨ／ｇ、ガラス転移温度−２０℃未満であり、
重合性不飽和モノマー（ａ１）〜（ａ３）の合計量を基準として、
メチルメタクリレート（ａ１）１５〜３５質量％、
炭素数４〜９のヒドロキシアルキル基を有する重合性不飽和モノマー（ａ２）５〜３０質量％、及び
その他の重合性不飽和モノマー（ａ３）３５〜８０質量％
を反応させて得られる水酸基含有アクリル樹脂であり、
水酸基含有ポリエステル樹脂（Ｂ）が、水酸基価５０〜２００ｍｇＫＯＨ／ｇ、数平均分子量２，０００〜２０，０００であって、ヌレート構造を有する環状ポリオール化合物（ｂ１）を含む多価アルコールと多塩基酸との反応によって得られる水酸基含有ポリエステル樹脂であり、
ポリイソシアネート化合物（Ｃ）がビウレット基含有ポリイソシアネート化合物及びアロファネート基含有ポリイソシアネート化合物からなる群から選択される少なくとも１つであり、
得られる塗膜のガラス転移温度が２０〜６０℃である
塗料組成物。
（２）主剤中の樹脂固形分質量を基準として、水酸基含有アクリル樹脂（Ａ）を１０〜８０質量部、水酸基含有ポリエステル樹脂（Ｂ）を２０〜９０質量部含有する前記（１）に記載の塗料組成物。
（３）得られる塗膜の架橋間分子量が３００〜１０００である前記（１）又は（２）に記載の塗料組成物。
（４）プラスチック基材に、前記（１）〜（３）のいずれか１つに記載の塗料組成物を塗装する方法。
（５）プラスチック基材に、前記（１）〜（３）のいずれか１つに記載の塗料組成物を塗装して得られる塗装物品。
【発明の効果】
【００１７】
本発明の塗料組成物によれば、１コート１ベーク塗装工程において、プラスチック基材に対して優れた耐擦り傷性、硬度、外観、付着性及び紫外線吸収剤等を含有する組成物に対する耐性を有する塗膜を形成することが可能となる。
【発明を実施するための形態】
【００１８】
以下、本発明の塗料組成物についてさらに詳細に説明する。
なお、本明細書において、「質量」は「重量」のことを意味するものとする。
【００１９】
本発明の塗料組成物は、水酸基含有アクリル樹脂（Ａ）及び水酸基含有ポリエステル樹脂（Ｂ）を含有する主剤と、ポリイソシアネート化合物（Ｃ）を含有する硬化剤とを含む。
【００２０】
（主剤）
＜水酸基含有アクリル樹脂（Ａ）＞
本発明において水酸基含有アクリル樹脂（Ａ）は、分子中に水酸基を含有するアクリル樹脂を指す。水酸基含有アクリル樹脂（Ａ）は、重合性不飽和モノマーである、メチルメタクリレート（ａ１）、炭素数４〜９のヒドロキシアルキル基を有する重合性不飽和モノマー（ａ２）及びその他の重合性不飽和モノマー（ａ３）を常法により共重合せしめることによって合成することができる。
【００２１】
炭素数４〜９のヒドロキシアルキル基を有する重合性不飽和モノマー（ａ２）としては、４−ヒドロキシブチル（メタ）アクリレート、５−ヒドロキシペンチル（メタ）アクリレート、６−ヒドロキシヘキシル（メタ）アクリレート、７−ヒドロキシヘプチル（メタ）アクリレート、８−ヒドロキシオクチル（メタ）アクリレート、７−メチル−８−ヒドロキシオクチル（メタ）アクリレート、２−メチル−８−ヒドロキシオクチル（メタ）アクリレート、９−ヒドロキシノニル（メタ）アクリレートなどが挙げられ、これらはそれぞれ単独で又は２種以上組み合わせて使用することができる。炭素数４〜９のヒドロキシアルキル基を有する重合性不飽和モノマー（ａ２）としては、耐擦り傷性、外観、付着性及び紫外線吸収剤等を含有する組成物に対する耐性に優れるという観点から、なかでも４−ヒドロキシブチル（メタ）アクリレート、６−ヒドロキシヘキシル（メタ）アクリレートが特に好ましい。
【００２２】
その他の重合性不飽和モノマー（ａ３）としては、例えば、２−ヒドロキシエチル（メタ）アクリレート、２−ヒドロキシプロピル（メタ）アクリレート、３−ヒドロキシプロピル（メタ）アクリレート、ポリエチレングリコールモノ（メタ）アクリレート、ポリプロピレングリコール（メタ）アクリレート等の多価アルコールと（メタ）アクリル酸とのモノエステル化物、該多価アルコールと（メタ）アクリル酸とのモノエステル化物にε−カプロラクトンを開環重合した化合物、等の炭素数４〜９のヒドロキシアルキル基を有する重合性不飽和モノマー以外の水酸基含有重合性不飽和モノマー；
メチルアクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｔｅｒｔ−ブチル（メタ）アクリレート、ペンチル（メタ）アクリレート、ヘキシル（メタ）アクリレート、２−エチルヘキシルアクリレート、シクロヘキシル（メタ）アクリレート、ｎ−オクチル（メタ）アクリレート、ノニル（メタ）アクリレート、ラウリル（メタ）アクリレート、イソボルニル（メタ）アクリレート、ステアリル（メタ）アクリレート等の（メタ）アクリル酸のアルキルエステル；
（メタ）アクリル酸、マレイン酸、無水マレイン酸等のカルボキシル基含有重合性不飽和モノマー；
Ｎ，Ｎ−ジメチルアミノエチル（メタ）アクリレート、Ｎ，Ｎ−ジエチルアミノエチル（メタ）アクリレート、Ｎ，Ｎ−ジメチルアミノプロピル（メタ）アクリレート等のアミノアルキル（メタ）アクリレート；
アクリルアミド、メタクリルアミド、Ｎ，Ｎ−ジメチルアミノエチル（メタ）アクリルアミド、Ｎ，Ｎ−ジエチルアミノエチル（メタ）アクリルアミド、Ｎ，Ｎ−ジメチルアミノプロピル（メタ）アクリルアミド、Ｎ−メチロールアクリルアミド、Ｎ−メチロールアクリルアミドメチルエーテル、Ｎ−メチロールアクリルアミドブチルエーテル等の（メタ）アクリルアミド又はその誘導体；
２−（メタクリロイルオキシ）エチルトリメチルアンモニウムクロライド、２−（メタクリロイルオキシ）エチルトリメチルアンモニウムブロマイド等の第４級アンモニウム塩基含有モノマー；
２−アクリルアミド−２−メチルプロパンスルホン酸等の（メタ）アクリルアミド−アルカンスルホン酸、２−スルホエチル（メタ）アクリレート等のスルホアルキル（メタ）アクリレート；
アクリロニトリル、メタクリロニトリル、酢酸ビニル、スチレン、ビニルトルエン、α−メチルスチレン等の芳香環含有重合性不飽和モノマー；
アリルメタクリレート等の多ビニル化合物；
γ−（メタ）アクリロイルオキシプロピルトリメトキシシラン、γ−（メタ）アクリロイルオキシプロピルトリエトキシシラン、γ−（メタ）アクリロイルオキシプロピルメチルジメトキシシラン等の加水分解性シリル基含有重合性不飽和モノマー等が挙げられ、これらはそれぞれ単独で又は２種以上組み合わせて使用することができる。
【００２３】
なかでも、その他の重合性不飽和モノマー（ａ３）として、耐擦り傷性、硬度、外観、付着性及び紫外線吸収剤等を含有する組成物に対する耐性に優れる塗膜を得る観点から、炭素数４〜９のヒドロキシアルキル基を有する重合性不飽和モノマー以外の水酸基含有重合性不飽和モノマー、（メタ）アクリル酸のアルキルエステルを含有することが好ましい。
【００２４】
炭素数４〜９のヒドロキシアルキル基を有する重合性不飽和モノマー以外の水酸基含有重合性不飽和モノマーとしては、特に２−ヒドロキシエチル（メタ）アクリレートが好ましい。
【００２５】
（メタ）アクリル酸のアルキルエステルとしては、特に、アルキル部分の炭素数が４〜８である重合性不飽和モノマーが好ましく、なかでも、得られる塗膜の耐擦り傷性、硬度、外観、付着性及び紫外線吸収剤等を含有する組成物に対する耐性等の観点から、ｎ−ブチル（メタ）アクリレート、２−エチルヘキシル（メタ）アクリレートが特に好ましい。
【００２６】
尚、本明細書において、「（メタ）アクリレート」は、アクリレート又はメタクリレートを意味し、「（メタ）アクリル酸」は、アクリル酸又はメタクリル酸を意味する。また、「（メタ）アクリロイル」は、アクリロイル又はメタクリロイルを意味し、「（メタ）アクリルアミド」は、アクリルアミド又はメタクリルアミドを意味する。
【００２７】
前記モノマー成分における、メチルメタクリレート（ａ１）、炭素数４〜９のヒドロキシアルキル基を有する重合性不飽和モノマー（ａ２）、及びその他の重合性不飽和モノマー（ａ３）の使用割合は、得られる塗膜の耐擦り傷性、硬度、外観、付着性及び紫外線吸収剤等を含有する組成物に対する耐性等の観点から、モノマー成分（重合性不飽和モノマー（ａ１）〜（ａ３））の合計質量を基準として、下記の範囲内である。
【００２８】
メチルメタクリレート（ａ１）：１５〜３５質量％、好ましくは２０〜３０質量％、さらに好ましくは２２〜２７質量％、
炭素数４〜９のヒドロキシアルキル基を有する重合性不飽和モノマー（ａ２）：５〜３０質量％、好ましくは１０〜２５質量％、さらに好ましくは１２〜２０質量％、
その他の重合性不飽和モノマー（ａ３）：３５〜８０質量％、好ましくは４５〜７０質量％、さらに好ましくは４３〜６６質量％。
【００２９】
前記の重合性不飽和モノマー（ａ１）〜（ａ３）の共重合は、溶液重合法による共重合が好適であり、例えば、重合性不飽和モノマーとラジカル重合開始剤の混合物を、有機溶剤に溶解もしくは分散せしめ、通常、約８０℃〜約２００℃の温度で、１〜１０時間程度撹拌しながら加熱して重合させる方法を挙げることができる。
【００３０】
本発明において水酸基含有アクリル樹脂（Ａ）は、水酸基価１００〜２００ｍｇＫＯＨ／ｇ、好ましくは１０５〜１７０ｍｇＫＯＨ／ｇ、さらに好ましくは１１０〜１５０ｍｇＫＯＨ／ｇ、かつ、ガラス転移温度−２０℃未満、好ましくは−２３℃未満、さらに好ましくは−２５℃未満の水酸基含有アクリル樹脂である。水酸基含有アクリル樹脂（Ａ）の水酸基価が１００ｍｇＫＯＨ／ｇ以上であると紫外線吸収剤等を含有する組成物に対する耐性が良好となり、２００ｍｇＫＯＨ／ｇ以下であると得られる塗膜の耐擦り傷性が良好となるため好ましい。また、ガラス転移温度が−２０℃を超えると塗膜の耐擦り傷性や硬度が劣る場合がある。
【００３１】
なお、本明細書において、水酸基含有アクリル樹脂（Ａ）のガラス転移温度Ｔｇは、下記式により算出される値である。
１／Ｔｇ（Ｋ）＝Ｗ１／Ｔ１＋Ｗ２／Ｔ２＋・・・Ｗｎ／Ｔｎ
Ｔｇ（℃）＝Ｔｇ（Ｋ）−２７３
式中、Ｗ１、Ｗ２、・・・Ｗｎは各モノマーの質量分率であり、Ｔ１、Ｔ２・・・Ｔｎは各モノマーのホモポリマーのガラス転移温度Ｔｇ（Ｋ）である。
なお、各モノマーのホモポリマーのガラス転移温度は、ＰＯＬＹＭＥＲＨＡＮＤＢＯＯＫＦｏｕｒｔｈＥｄｉｔｉｏｎ，Ｊ．Ｂｒａｎｄｒｕｐ，Ｅ．ｈ．Ｉｍｍｅｒｇｕｔ，Ｅ．Ａ．Ｇｒｕｌｋｅ編（１９９９年）による値であり、該文献に記載されていないモノマーのガラス転移温度は、該モノマーのホモポリマーを重量平均分子量が５０，０００程度になるようにして合成し、そのガラス転移温度を示差走査型熱分析により測定したときの値を使用する。
【００３２】
本発明において水酸基含有アクリル樹脂（Ａ）の重量平均分子量は、耐擦り傷性、硬度、外観、付着性及び紫外線吸収剤等を含有する組成物に対する耐性の点から、５，０００〜３３，０００、好ましくは８，０００〜３０，０００の範囲である。
【００３３】
また本明細書において、重量平均分子量及び数平均分子量は、ゲルパーミエーションクロマトグラフ（ＧＰＣ）を用いて測定した保持時間（保持容量）を、同一条件で測定した分子量既知の標準ポリスチレンの保持時間（保持容量）によりポリスチレンの分子量に換算して求めた値である。カラムは、「ＴＳＫｇｅｌ  Ｇ−４０００Ｈ×Ｌ」、「ＴＳＫｇｅｌ  Ｇ−３０００Ｈ×Ｌ」、「ＴＳＫｇｅｌ  Ｇ−２５００Ｈ×Ｌ」、「ＴＳＫｇｅｌ  Ｇ−２０００Ｈ×Ｌ」（いずれも東ソー（株）社製、商品名）の４本を用い、移動相；テトラヒドロフラン、測定温度；４０℃、流速；１ｍｌ／分、検出器；ＲＩの条件で行ったものである。
【００３４】
本発明において水酸基含有アクリル樹脂（Ａ）の含有量は、主剤中の合計樹脂固形分質量を基準として１０〜８０質量部であることが好ましく、より好ましくは５５〜７５質量部である。前記範囲であると、得られる塗膜の耐擦り傷性、硬度、外観、付着性及び紫外線吸収剤等を含有する組成物に対する耐性等の観点から、好適である。
【００３５】
＜水酸基含有ポリエステル樹脂（Ｂ）＞
水酸基含有ポリエステル樹脂（Ｂ）は、一般に多価アルコール及び多塩基酸をそれ自体既知の方法で、水酸基過剰でエステル化反応せしめることによって得ることができる。多価アルコールは１分子中に２個以上の水酸基を有する化合物であり、多塩基酸は１分子中に２個以上のカルボキシル基を有する化合物である。
【００３６】
本発明の塗料組成物において水酸基含有ポリエステル樹脂（Ｂ）は、多価アルコールとしてヌレート構造を有する環状ポリオール化合物（ｂ１）を含む。
【００３７】
ヌレート構造を有する環状ポリオール化合物（ｂ１）としては、例えば、トリス（ヒドロキシエチル）イソシアヌレート、トリス（ヒドロキシプロピル）イソシアヌレートおよびトリス（ヒドロキシブチル）イソシアヌレート等のトリス（ヒドロキシアルキル）イソシアヌレート、該トリス（ヒドロキシアルキル）イソシアヌレートのε−カプロラクトン変性体、トリス（ヒドロキシエチル）イソシアヌレート、ジオール化合物およびジカルボン酸を、トリス（ヒドロキシエチル）イソシアヌレートおよびジオール化合物の中の水酸基がジカルボン酸中のカルボキシル基に対し過剰な状態で反応させて得られるトリス（ヒドロキシエチル）イソシアヌレートのエステル化物並びにヌレート構造を有するポリイソシアネート化合物とジオール化合物とを、ジオール化合物中の水酸基がヌレート構造を有するポリイソシアネート化合物中のイソシアネート基に対し過剰な状態で反応させて得られる反応生成物等が挙げられる。これらは単独でもしくは２種以上組み合わせて使用することができる。
【００３８】
これらのなかでも、得られる塗膜の紫外線吸収剤等を含有する組成物に対する耐性の観点から、トリス（２−ヒドロキシエチル）イソシアヌレートおよびトリス（２−ヒドロキシエチル）イソシアヌレートのε−カプロラクトン変性体が好ましく、トリス（２−ヒドロキシエチル）イソシアヌレートがさらに好ましい。
【００３９】
成分（ｂ１）以外の多価アルコールとしては、例えば、エチレングリコール、プロピレングリコール、ジエチレングリコール、トリメチレングリコール、テトラエチレングリコール、トリエチレングリコール、ジプロピレングリコール、１，４−ブタンジオール、１，３−ブタンジオール、２，３−ブタンジオール、１，２−ブタンジオール、３−メチル−１，２−ブタンジオール、１，２−ペンタンジオール、１，５−ペンタンジオール、１，４−ペンタンジオール、２，４−ペンタンジオール、２，３−ジメチルトリメチレングリコール、テトラメチレングリコール、３−メチル−４，３−ペンタンジオール、３−メチル−４，５−ペンタンジオール、２，２，４−トリメチル−１，３−ペンタンジオール、１，６−ヘキサンジオール、１，５−ヘキサンジオール、１，４−ヘキサンジオール、２，５−ヘキサンジオール、ネオペンチルグリコール、ヒドロキシピヴァリン酸ネオペンチルグリコールエステルなどの２価アルコール；これらの２価アルコールにε−カプロラクトンなどのラクトン類を付加したポリラクトンジオール；ビス（ヒドロキシエチル）テレフタレートなどのエステルジオール類；ビスフェノールＡのアルキレンオキサイド付加物、ポリエチレングリコール、ポリプロピレングリコール、ポリブチレングリコールなどのポリエーテルジオール類；プロピレンオキサイド及びブチレンオキサイドなどのα−オレフィンエポキシド、カージュラＥ１０［シェル化学社製、商品名、合成高分岐飽和脂肪酸のグリシジルエステル］などのモノエポキシ化合物；グリセリン、トリメチロールプロパン、トリメチロールエタン、ジグリセリン、トリグリセリン、１，２，６−ヘキサントリオール、ペンタエリスリトール、ジペンタエリスリトール、ソルビトール、マンニットなどの３価以上のアルコール；これらの３価以上のアルコールにε−カプロラクトンなどのラクトン類を付加させたポリラクトンポリオール類；１，４−シクロヘキサンジメタノール、トリシクロデカンジメタノール、水添ビスフェノールＡ、水添ビスフェノールＦ、水添ビスフェノールＡ及び水添ビスフェノールＦなど脂環族多価アルコールなどが挙げられる。
【００４０】
上記水酸基含有ポリエステル樹脂（Ｂ）におけるヌレート構造を有する環状ポリオール化合物（ｂ１）の含有割合は、得られる塗膜の紫外線吸収剤等を含有する組成物に対する耐性の点から、アルコール成分の総量を基準として、１〜７５ｍｏｌ％の範囲内であることが好ましく、１０〜６０ｍｏｌ％の範囲内であることがより好ましい。ヌレート構造を有する環状ポリオール化合物（ｂ１）の含有割合が前記範囲であると紫外線吸収剤等を含有する組成物に対する耐性が良好となる。
【００４１】
多塩基酸は、例えば、テレフタル酸、イソフタル酸、フタル酸、ナフタレンジカルボン酸、４，４’−ビフェニルジカルボン酸、ジフェニルメタン−４，４’−ジカルボン酸などの芳香族多塩基酸及びその無水物；ヘキサヒドロイソフタル酸、ヘキサヒドロテレフタル酸、ヘキサヒドロフタル酸、テトラヒドロフタル酸などの脂環族ジカルボン酸及びその無水物；アジピン酸、セバシン酸、スベリン酸、コハク酸、グルタル酸、マレイン酸、クロロマレイン酸、フマル酸、ドデカン二酸、ピメリン酸、アゼライン酸、イタコン酸、シトラコン酸、ダイマー酸などの脂肪族多塩基酸及びその無水物；これらのジカルボン酸のメチルエステル、エチルエステルなどの低級アルキルエステル；トリメリット酸、無水トリメリット酸、ピロメリット酸、無水ピロメット酸、トリメシン酸、メチルシクロヘキセントリカルボン酸、テトラクロロヘキセン多塩基酸及びその無水物などの３価以上の多塩基酸などが挙げられる。
【００４２】
水酸基の導入は、例えば、１分子中に３個以上の水酸基を有する多価アルコールを併用することによって行なうことができる。
【００４３】
また上記多塩基酸と多価アルコールの反応時に、さらに必要に応じて一塩基酸、油成分（この脂肪酸も含む）などを用いてもよい。一塩基酸としては、例えば安息香酸やｔ−ブチル安息香酸などが挙げられ、油成分としては、例えばヒマシ油、脱水ヒマシ油、サフラワー油、大豆油、あまに油、トール油、ヤシ油及びこれらの脂肪酸などが挙げられ、これらは１種又は２種以上使用できる。さらにポリエステル樹脂は、必要に応じて、ブチルグリシジルエーテル、アルキルフェニルグリシジルエーテル、ネオデカン酸グリシジルエステルなどのエポキシ化合物で変性されていてもよい。
【００４４】
本発明では、水酸基含有ポリエステル樹脂（Ｂ）は、得られる塗膜の耐擦り傷性、硬度、外観、付着性及び紫外線吸収剤等を含有する組成物に対する耐性等の観点から、水酸基価５０〜２００ｍｇＫＯＨ／ｇ、好ましくは５０〜１５０ｇＫＯＨ／ｇ、数平均分子量２，０００〜２０，０００、好ましくは２，０００〜１５，０００である。
【００４５】
水酸基含有ポリエステル樹脂（Ｂ）の含有量は、得られる塗膜の耐擦り傷性、硬度、外観、付着性及び紫外線吸収剤等を含有する組成物に対する耐性等の観点から、主剤中の合計固形分を基準として、２０〜９０質量部であることが好ましく、より好ましくは２５〜４５質量部の範囲である。
【００４６】
本発明の主剤は、水酸基含有アクリル樹脂（Ａ）及び水酸基含有ポリエステル樹脂（Ｂ）を必須成分とするものであり、さらに必要に応じて水酸基含有ウレタン樹脂、フェノール樹脂、ポリカーボネート樹脂及びエポキシ樹脂等の樹脂成分を含有することができる。
【００４７】
（硬化剤）
本発明で用いられる硬化剤は、ポリイソシアネート化合物（Ｃ）を含有するものである。
【００４８】
＜ポリイソシアネート化合物（Ｃ）＞
ポリイソシアネート化合物（Ｃ）は、アロファネート基含有ポリイソシアネート化合物及びビウレット基含有ポリイソシアネート化合物からなる群から選択される少なくとも１つを必須成分として含むものである。
【００４９】
上記アロファネート基含有ポリイソシアネート化合物は、脂肪族ポリイソシアネート、脂環族ポリイソシアネート及び芳香族ポリイソシアネート等から選ばれるポリイソシアネートを既知の方法でアロファネート化反応させて得られる化合物である。
【００５０】
前記ビウレット基含有ポリイソシアネート化合物は、脂肪族ポリイソシアネート、脂環族ポリイソシアネート及び芳香族ポリイソシアネート等から選ばれるポリイソシアネートを既知の方法でビウレット化反応させて得られる化合物である。
【００５１】
前記脂肪族ポリイソシアネートとしては、ジイソシアネート（例えば、トリメチレンジイソシアネート、１，２−プロピレンジイソシアネート、テトラメチレンジイソシアネート、１，２−ブチレンジイソシアネート、２，３−ブチレンジイソシアネート、１，３−ブチレンジイソシアネート、ヘキサメチレンジイソシアネート、ペンタメチレンジイソシアネート、２，４，４−又は２，２，４−トリメチルヘキサメチレンジイソシアネートなどのＣ２−１６アルカンジイソシアネート、２，６−ジイソシアナトメチルカプロエートなど）、ポリイソシアネート（例えば、リジンエステルトリイソシアネート、１，４，８−トリイソシアナトオクタン、１，６，１１−トリイソシアナトウンデカン、１，８−ジイソシアナト−４−イソシアナトメチルオクタン、１，３，６−トリイソシアナトヘキサン、２，５，７−トリメチル−１，８−ジイソシアナト−５−イソシアナトメチルオクタンなどのＣ６−２０アルカントリイソシアネートなど）などが挙げられる。
【００５２】
前記脂環族ポリイソシアネートとしては、ジイソシアネート（例えば、１，３−シクロペンタンジイソシアネート、１，４−シクロヘキサンジイソシアネート、１，３−シクロヘキサンジイソシアネート、３−イソシアナトメチル−３，５，５−トリメチルシクロヘキシルイソシアネート（慣用名：イソホロンジイソシアネート）、４，４’−メチレンビス（シクロヘキシルイソシアネート）、メチル−２，４−シクロヘキサンジイソシアネート、メチル−２，６−シクロヘキサンジイソシアネート、１，３−又は１，４−ビス（イソシアナトメチル）シクロヘキサン（慣用名：水添キシリレンジイソシアネート）もしくはその混合物、ノルボルナンジイソシアネートなど）、ポリイソシアネート（例えば、１，３，５−トリイソシアナトシクロヘキサン、１，３，５−トリメチルイソシアナトシクロヘキサン、２−（３−イソシアナトプロピル）−２，５−ジ（イソシアナトメチル）−ビシクロ［２．２．１］ヘプタン、２−（３−イソシアナトプロピル）−２，６−ジ（イソシアナトメチル）−ビシクロ（２．２．１）ヘプタン、３−（３−イソシアナトプロピル）−２，５−ジ（イソシアナトメチル）−ビシクロ［２．２．１］ヘプタン、５−（２−イソシアナトエチル）−２−イソシアナトメチル−３−（３−イソシアナトプロピル）−ビシクロ［２．２．１］ヘプタン、６−（２−イソシアナトエチル）−２−イソシアナトメチル−３−（３−イソシアナトプロピル）−ビシクロ［２．２．１］ヘプタン、５−（２−イソシアナトエチル）−２−イソシアナトメチル−２−（３−イソシアナトプロピル）−ビシクロ［２．２．１］−ヘプタン、６−（２−イソシアナトエチル）−２−イソシアナトメチル−２−（３−イソシアナトプロピル）−ビシクロ［２．２．１］ヘプタンなどのトリイソシアネートなど）が挙げられる。
【００５３】
前記芳香族ポリイソシアネートとしては、ジイソシアネート（例えば、１，３−または１，４−キシリレンジイソシアネートもしくはその混合物、ω，ω’−ジイソシアナト−１，４−ジエチルベンゼン、１，３−または１，４−ビス（１−イソシアナト−１−メチルエチル）ベンゼン（慣用名：テトラメチルキシリレンジイソシアネート）もしくはその混合物、ｍ−フェニレンジイソシアネート、ｐ−フェニレンジイソシアネート、４，４’−ジフェニルメタンジイソシアネート、１，５−ナフタレンジイソシアネート、２，４’−または４，４’−ジフェニルメタンジイソシアネートもしくはその混合物、２，４−または２，６−トリレンジイソシアネートもしくはその混合物、４，４’−トルイジンジイソシアネート、４，４’−ジフェニルエーテルジイソシアネートなど）、ポリイソシアネート（例えば、１，３，５−トリイソシアナトメチルベンゼンなどのトリイソシアネート、トリフェニルメタン−４，４’，４’’−トリイソシアネート、１，３，５−トリイソシアネートベンゼン、２，４，６−トリイソシアネートトルエンなどのトリイソシアネート、例えば、４，４’−ジフェニルメタン−２，２’，５，５’−テトライソシアネートなどのテトライソシアネートなど）が挙げられる。
【００５４】
これらのうち、特に脂肪族ポリイソシアネートのビウレット基含有ポリイソシアネート化合物やアロファネート基含有ポリイソシアネート化合物が、得られる塗膜の耐擦り傷性、硬度、外観、付着性及び紫外線吸収剤等を含有する組成物に対する耐性等の点から好適に使用できる。
【００５５】
前記脂肪族ポリイソシアネートのなかでも特にヘキサメチレンジイソシアネートが得られる塗膜の耐擦り傷性、硬度、外観、付着性及び紫外線吸収剤等を含有する組成物に対する耐性等の点から好適に使用できる。
【００５６】
ポリイソシアネート化合物（Ｃ）は、前記アロファネート基含有ポリイソシアネート化合物及び／又はビウレット基含有ポリイソシアネート化合物以外のポリイソシアネート化合物を必要に応じて含むことができる。
【００５７】
例えば、ヘキサメチレンジイソシアネート、トリメチルヘキサメチレンジイソシアネート、ダイマー酸ジイソシアネート、リジンジイソシアネートなどの脂肪族ポリイソシアネート類；これらの脂肪族ポリイソシアネートのイソシアヌレート環付加物、ウレトジオンタイプ付加物；イソホロンジイソシアネート、４，４’−メチレンビス（シクロヘキシルイソシアネート）、メチルシクロヘキサン−２，４−もしくは−２，６−ジイソシアネートなどの脂環族ジイソシアネート類；これらの脂環族ジイソシアネートのイソシアヌレート環付加物；キシリレンジイソシアネート、テトラメチルキシリレンジイソシアネート、トリレンジイソシアネート、４，４’−ジフェニルメタンジイソシアネート（ＭＤＩ）、１，５−ナフタレンジイソシアネート、１，４−ナフタレンジイソシアネートなどの芳香族ジイソシアネート化合物；これらの芳香族ジイソシアネートのイソシアヌレート環付加物；水添ＭＤＩ及び水添ＭＤＩの誘導体；エチレングリコール、プロピレングリコール、１，４−ブチレングリコール、ジメチロールプロピオン酸、ポリアルキレングリコール、トリメチロールプロパン、ヘキサントリオールなどのポリオールの水酸基にイソシアネート基が過剰量となる比率でポリイソシアネート化合物を反応させてなるウレタン化付加物；これらのウレタン化付加物のイソシアヌレート環付加物等を挙げることができる。
【００５８】
上記ポリイソシアネート化合物（Ｃ）の使用量は、この中に含まれるイソシアネート基（ＮＣＯ）が、上記主剤中の水酸基（ＯＨ）に対して、ＮＣＯ／ＯＨの当量比で、通常、０．５〜２．０、好ましくは０．８〜１．５となる範囲内となるように選択されることが適当である。
【００５９】
本発明の塗料組成物では、さらに必要に応じて、有機溶剤、硬化触媒、顔料、顔料分散剤、レベリング剤、紫外線吸収剤、光安定剤、可塑剤等の、通常塗料の分野で用いられる塗料用添加剤を適宜組み合わせて主剤及び／又は硬化剤に配合することができる。
【００６０】
前記有機溶剤としては特に限定されるものではなく、例えば炭化水素系、エステル系、エーテル系、アルコール系、ケトン系などの通常の塗料用溶剤が使用できる。
【００６１】
前記硬化触媒としては、例えば、オクチル酸錫、ジブチル錫ジ（２−エチルヘキサノエート）、ジオクチル錫ジ（２−エチルヘキサノエート）、ジオクチル錫ジアセテート、ジブチル錫ジラウレート、ジブチル錫オキサイド、ジオクチル錫オキサイド、ジブチル錫脂肪酸塩、２−エチルヘキサン酸鉛、オクチル酸亜鉛、ナフテン酸亜鉛、脂肪酸亜鉛類、ナフテン酸コバルト、オクチル酸カルシウム、ナフテン酸銅、テトラ（２−エチルヘキシル）チタネートなどの有機金属化合物が挙げられ、これらは１種又は２種以上混合して用いることができる。これらには、さらに必要に応じて第三級アミン、りん酸化合物など公知のウレタン硬化触媒を併用することもできる。本発明の塗料組成物が硬化触媒を含有する場合、硬化触媒の使用量は、通常、塗料組成物中の樹脂固形分１００質量部に対して０．００１〜２質量部、好ましくは０．０１〜１質量部の範囲内が適当である。
【００６２】
前記顔料としては、例えば、酸化チタン、亜鉛華、カーボンブラック、カドミウムレッド、モリブデンレッド、クロムエロー、酸化クロム、プルシアンブルー、コバルトブルー、アゾ顔料、フタロシアニン顔料、キナクリドン顔料、イソインドリン顔料、スレン系顔料、ペリレン顔料等の着色顔料；タルク、クレー、カオリン、バリタ、硫酸バリウム、炭酸バリウム、炭酸カルシウム、アルミナホワイト等の体質顔料；アルミニウム粉末、雲母粉末、酸化チタンで被覆した雲母粉末等のメタリック顔料等を挙げることができる。これらは単独で又は２種以上組み合わせて使用することができる。
【００６３】
本発明の塗料組成物がクリヤ塗料として使用される場合であって、顔料を含有する場合、顔料の配合量は、得られる塗膜の透明性を阻害しない程度の量であることが好ましく、例えば塗料組成物中の固形分１００質量部を基準として、通常０．１〜２０質量部の範囲内であることが好ましく、０．３〜１０質量部の範囲内であることがより好ましく、０．５〜５質量部の範囲内であることがさらに好ましい。
【００６４】
また、本発明の塗料組成物が着色塗料として使用される場合であって、顔料を含有する場合、顔料の配合量は、塗料組成物中の固形分１００質量部を基準として、通常１〜２００質量部の範囲内であることが好ましく、２〜１００質量部の範囲内であることがより好ましく、５〜５０質量部の範囲内であることがさらに好ましい。
【００６５】
前記紫外線吸収剤としては、従来から公知のものが使用でき、例えば、ベンゾトリアゾール系吸収剤、トリアジン系吸収剤、サリチル酸誘導体系吸収剤、ベンゾフェノン系吸収剤等の紫外線吸収剤を挙げることができる。これらは単独で又は２種以上組み合わせて使用することができる。
【００６６】
本発明の塗料組成物が、紫外線吸収剤を含有する場合、紫外線吸収剤の配合量は、塗料組成物中の固形分１００質量部を基準として、０．１〜１０質量部の範囲内であることが好ましく、０．２〜５質量部の範囲内であることがより好ましく、０．３〜２質量部の範囲内であることがさらに好ましい。
【００６７】
光安定剤としては、従来から公知のものが使用でき、例えば、ヒンダードアミン系光安定剤を挙げることができる。
【００６８】
本発明の塗料組成物が、光安定剤を含有する場合、光安定剤の配合量は、艶消し塗料組成物中の固形分１００質量部を基準として、０．１〜１０質量部の範囲内であることが好ましく、０．２〜５質量部の範囲内であることがより好ましく、０．３〜２質量部の範囲内であることがさらに好ましい。
【００６９】
本発明では、上記塗料組成物をプラスチック基材面に塗装して、塗装物品を得ることができる。プラスチック基材としては、特に限定されるものではなく、例えばポリエチレン、ポリプロピレンなどに代表されるポリオレフィン系樹脂；ポリエチレンテレフタレート樹脂、ポリブチレンテレフタレート（ＰＢＴ）樹脂、ポリカーボネート（ＰＣ）樹脂、ポリカーボネート−ポリブチレンテレフタレート（ＰＣ／ＰＢＴ）樹脂などの熱可塑性ポリエステル樹脂；アクリロニトリル−スチレン樹脂、アクリロニトリル−ブタジエン−スチレン（ＡＢＳ）樹脂、アクリロニトリル−スチレン−アクリレート（ＡＳＡ）樹脂などのスチレン系樹脂；その他ポリメチルメタクリレート樹脂、アクリル樹脂、塩化ビニリデン、ポリアミド樹脂、ポリフェニレンエーテル樹脂、ポリオキシメチレン樹脂、ポリウレタン樹脂、エポキシ樹脂などまたはこれらのハイブリッド樹脂や繊維強化プラスチック（Fiber-Reinforced Plastics）などの素材面を挙げることができる。これらの素材面は必要に応じて適宜、脱脂処理や表面処理がなされてもよい。さらに、プラスチック基材面に下塗り塗膜を形成させた後、本発明の塗料組成物を塗装してもよい。
【００７０】
本発明の塗料組成物を塗装する方法は、特に限定されない。例えば、エアスプレー、エアレススプレー、回転霧化塗装機、浸漬塗装、刷毛などにより塗装することができる。
【００７１】
本発明の塗料組成物による塗膜は、通常、硬化膜厚で通常３〜１００μｍ、好ましくは３〜５０μｍの範囲内とすることができる。
【００７２】
本発明の塗料組成物の塗膜形成方法における、加熱条件は特に限定されないが、５０〜１００℃、好ましくは５０〜９０℃で１０〜９０分保持することにより行なうことができる。熱によりプラスチック材料に変形が伴う場合の加熱条件は、例えばＡＢＳ樹脂などを用いる場合には、５０℃〜８０℃で１０〜９０分保持することが好ましい。
【００７３】
本発明の塗料組成物によって得られた塗膜は、耐擦り傷性、硬度、外観、付着性及び紫外線吸収剤等を含有する組成物に対する耐性等の点から、硬化塗膜のガラス転移温度が２０〜６０℃であり、好ましくは３０〜５５℃、さらに好ましくは３５〜５０℃である。上記ガラス転移温度は、動的粘弾性測定装置を用いて、測定試料として、８０℃で３０分間加熱硬化を行なった膜厚２５μｍの塗膜を短冊状の遊離膜（０．５ｃｍ×２ｃｍ）に調製したものを使用し、昇温速度３℃／分で、温度範囲−２５〜１００℃で、周波数１１Ｈｚの条件下でｔａｎδ値を測定した時に、ｔａｎδの値が極大値を示す時の温度である。動的粘弾性測定装置としては、ＦＴレオスペクトラＤＶＥ−Ｖ４（商品名、レオロジ社製）を用いることができる。
【００７４】
本発明の塗料組成物によって得られた塗膜は、耐擦り傷性、硬度、外観、付着性及び紫外線吸収剤等を含有する組成物に対する耐性等の点から、硬化後の架橋間分子量が３００〜１０００であることが好ましく、より好ましくは３５０〜９００、さらに好ましくは４００〜８００である。上記架橋間分子量は、上記の方法で測定した塗膜のガラス転移温度の値をＦｌｏｒｙなどの下記のゴム粘弾性理論式にあてはめて求めた理論計算値である。
架橋間分子量（Ｍｃ）＝３ρＲＴ／Ｅｍｉｎ
［式中、Ｅｍｉｎはゴム領域での貯蔵弾性率（ｄｙｎｅ／ｃｍ）、ρは試料塗膜の比重（ｇ／ｃｍ３）を示し、Ｒは気体定数であって、Ｒ＝８．３１×１０７（ｅｒｇ／ｄｅｇ・ｍｏｌ）であり、Ｔは貯蔵弾性率がＥｍｉｎのときの絶対温度を示す。］
【実施例】
【００７５】
以下、実施例及び比較例を挙げて本発明をさらに具体的に説明する。ただし、本発明はこれらの実施例のみに限定されるものではない。なお、「部」及び「％」はそれぞれ「質量部」及び「質量％」を示す。また、塗膜の膜厚は硬化塗膜に基づく。【００７６】
〔水酸基含有アクリル樹脂（Ａ）の製造〕
製造例１
撹拌装置、温度計、還流冷却器、サーモスタットおよび滴下用ポンプを備えた反応容器に、酢酸ブチル６０部を仕込み、窒素ガスを吹き込みながら１２５℃±３℃で攪拌し、この中に、メチルメタクリレート２６部、４−ヒドロキシブチルアクリレート１４部、ｎ−ブチルアクリレ−ト２４部、２−エチルヘキシルアクリレート２４部、２−ヒドロキシエチルアクリレート１２部および２，２’−アゾビスイソブチロニトリル２．０部の混合物を３時間かけて一定速度で滴下し、さらに同温度で１時間熟成させた。その後さらに２，２’−アゾビスイソブチロニトリル０．５部および酢酸ブチル２１部の混合物を１時間かけて反応容器に滴下し、滴下終了後１時間熟成させ反応を終了した。
得られた水酸基含有アクリル樹脂（Ａ−１）溶液は、固形分５５％の均一な透明溶液であった。またアクリル樹脂の重量平均分子量は約２１，０００、水酸基価は１１３ｍｇＫＯＨ／ｇ、ガラス転移点温度は−２９℃であった。【００７７】
製造例２〜１９
上記製造例１において、モノマーの混合物を表１に示す配合組成とする以外は製造例１と同様の操作を行なって、固形分５５％の水酸基含有アクリル樹脂（Ａ−２）〜（Ａ−１９）溶液を得た。得られた各水酸基含有アクリル樹脂の重量平均分子量、水酸基価、ガラス転移温度を表１に併せて示す。【００７８】
【表１】
0005692481.tif 000002
【００７９】
【表２】
0005692481.tif 000003
【００８０】
〔水酸基含有ポリエステル樹脂（Ｂ）の製造〕
製造例２０
撹拌機、温度計、精留塔および水分離器を装備した反応容器に、ヘキサヒドロ無水フタル酸１３６部、１，６−ヘキサンジオール８３部、およびトリス（２−ヒドロキシエチル）イソシアヌレート７８部を仕込み、窒素雰囲気下で１６０℃まで昇温した。【００８１】
その後、３時間かけて２２０℃まで昇温し、キシレンを加えて水を留去しながら還流下反応させた。所望の酸価になったところで冷却後、次いで酢酸ブチルで希釈して固形分５０％のポリエステル樹脂（Ｂ−１）溶液を得た。このポリエステル樹脂（Ｂ−１）の数平均分子量は２，２００であり、水酸基価１０６ｍｇＫＯＨ／ｇであった。【００８２】
製造例２１〜２８
上記製造例２０において、モノマー及び重合開始剤の混合物を表２に示す配合組成とする以外は製造例２０と同様の操作を行なって、固形分５０％の水酸基含有ポリエステル樹脂（Ｂ−２）〜（Ｂ−９）溶液を得た。得られた各水酸基含有ポリエステル樹脂の数平均分子量、水酸基価を表２に併せて示す。【００８３】
【表３】
0005692481.tif 000004
【００８４】
【表４】
0005692481.tif 000005
【００８５】
〔塗料組成物の製造〕
実施例及び比較例
表３に示す配合組成となるように成分（Ａ）、成分（Ｂ）及び黒顔料を混合・攪拌して固形分約４０％の各主剤を作成した。この主剤に表３に示す配合組成となるように成分（Ｃ）の硬化剤を加え、均一に混合した。次いで、得られた混合物に希釈溶剤を添加し、２０℃におけるフォードカップＮｏ．４による粘度が２５秒である塗料組成物を得た。【００８６】
尚、表３は固形分表示であり、表３中における（Ｃ−１）〜（Ｃ−３）は下記の通りである。
（Ｃ−１）：デュラネート２４Ａ−９０Ｅ、商品名、旭化成ケミカルズ社製、ヘキサメチレンジイソシアネートを原料とするビウレット基含有ポリイソシアネート化合物、固形分９０％、イソシアネート基含有率２１．２％
（Ｃ−２）ＸＰ２５８０：商品名、バイエル社製、ヘキサメチレンジイソシアネートを原料とするアロファネート基含有ポリイソシアネート化合物、固形分１００％、イソシアネート基含有率１９．５％
（Ｃ−３）スミジュールＮ３３００：商品名、住友バイエルウレタン社製、ヘキサメチレンジイソシアネートのヌレート体、固形分１００％、イソシアネート基含有率２１．８％
また、表３に記載の黒顔料は分散剤（「ソルスパーズ３７５００」、商品名、ルーブリゾール社製）１部とあらかじめ混合させてから配合した。【００８７】
〔試験塗板の作製〕
ＡＢＳ板（黒色、脱脂処理済み）に、上記のように製造した各塗料組成物を硬化膜厚で約２５μｍになるようにエアスプレー塗装を行ない、８０℃で３０分間加熱し硬化させて各試験塗板を得た。【００８８】
得られた各試験塗板を、下記の性能試験に供した。結果を表３に併せて示す。【００８９】
〔塗膜性能試験〕
耐擦り傷性：学振型摩擦堅牢試験機「ＲＴ−２００」（商品名、大栄化学精機製作所社製）に、上記のようにして得られた試験塗板をセットした。摩擦子にＮｏ．２０００のサンドペーパーを両面テープで貼り付け、摩擦子に２００ｇの重りを載せて、往復２回研磨することによって塗膜に傷を付けた。２５℃で２４時間静置した後に、塗膜のＬ１５°値を測定し、傷を付ける前の塗膜のＬ１５°値との差（ΔＬ１５°）から下記の基準で評価した。【００９０】
Ｌ１５°値の測定は、変角色差計「ＭＡ６８ＩＩ」（商品名、Ｘ−ｒｉｔｅ社製）を用いて、傷に対して垂直方向に光が入射する向きに対して受光角１５度方向のＬ値（これをＬ１５°値という）を読みとり、試験前後での差ΔＬ１５°を計算した。ΔＬ１５°が３０を超えるものは不合格である。【００９１】
鉛筆硬度：ＪＩＳ  Ｋ  ５６００−５−４（１９９９）に準じて実施する。各試験塗板の塗膜面に対し約４５°の角度に鉛筆の芯を当て、芯が折れない程度に強く塗膜面に押し付けながら、鉛筆を前方に均一な速さで約１０ｍｍ動かした。当該操作を、場所を変えて５回繰り返し、塗膜に鉛筆芯の痕がつかない最も硬い鉛筆の硬度記号を鉛筆硬度とした。【００９２】
付着性：各試験塗板の塗膜面に素地に達するようにカッターで切り込み線を入れ、大きさ２ｍｍ×２ｍｍのマス目を１００個作った。続いて、該塗膜面にセロハン粘着テープ及び布粘着テープを貼着し、２０℃においてそれを急激に剥離した後に塗膜が残存しているマス目の数を調べ、下記の基準で評価した。【００９３】
◎：セロハン粘着テープを剥離したときに塗膜が残存しているマス目の数が１００個であり、かつ、布粘着テープを剥離したときに塗膜が残存しているマス目の数が１００個である
○：セロハン粘着テープを剥離したときに塗膜が残存しているマス目の数が１００個であり、かつ、布粘着テープを剥離したときに塗膜が残存しているマス目の数が９９個以下である
×：セロハン粘着テープを剥離したときに塗膜が残存しているマス目の数が９９個以下であり、かつ、布粘着テープを剥離したときに塗膜が残存しているマス目の数が９９個以下である【００９４】
紫外線吸収剤等を含有する組成物に対する耐性：各試験塗板の塗膜面に単位塗装面積に対して０．５ｇ／１００ｃｍ２の化粧品（ジバンシイ  ＤＷ  ＵＶシールド、商品名、パルファム  ジバンシイ社製、ＳＰＦ５０  ＰＡ＋＋＋）を塗布し、５５℃で４時間放置した後に、室温に冷却し、表面の化粧品をふき取り、塗膜外観、鉛筆硬度及び付着性を評価した。
鉛筆硬度の測定は上記方法と同様の方法で行ない、鉛筆硬度記号が上記「鉛筆硬度：」の項で得られた硬度記号から２ランクダウン以内だったものを合格とする。
付着性の評価は上記方法と同様に行なった。塗膜外観については下記の基準で評価した。【００９５】
○：異常なし
×：ちぢみ、変色、跡付き、剥離が発生【００９６】
【表５】
0005692481.tif 000006
【００９７】
【表６】
0005692481.tif 000007
【００９８】
【表７】
0005692481.tif 000008
【００９９】
【表８】
0005692481.tif 000009
【０１００】
本発明を詳細にまた特定の実施態様を参照して説明したが、本発明の精神と範囲を逸脱することなく様々な変更や修正を加えることができることは当業者にとって明らかである。本出願は、２０１３年９月９日出願の日本特許出願（特願２０１３−１８６０２５）に基づくものであり、その内容はここに参照として取り込まれる。
【要約】
本発明の目的は、プラスチック基材に対して優れた耐擦り傷性、硬度、外観、付着性及び耐薬品性を有する塗膜を形成することができる塗料組成物及び塗装物品を提供することにある。本発明の塗料組成物は、特定の水酸基含有アクリル樹脂（Ａ）及び特定の水酸基含有ポリエステル樹脂（Ｂ）を含有する主剤と、特定のポリイソシアネート化合物（Ｃ）を含有する硬化剤とを含み、得られる塗膜のガラス転移温度が２０〜６０℃である。